(57)【要約】【課題】複数の食材を１つの食品保存容器内に収納でき、効率的に食事を摂ることができる食品保存容器をし、事前に収納した食材や、食べ残した食材を、簡単に密閉して保存することができる食品保存容器を提供する。【解決手段】上方に大きく開口し、側部１２と底部１３を有する食品保存容器本体１０と、この食品保存容器本体１０と概ね同様な外周形状をなす蓋４０とを有し、前記食品保存容器本体１０には、内部空間を複数の区画に分割する仕切を有し、前記蓋４０には前記仕切と嵌合する嵌合構造を有する構成の食品保存容器とした。【選択図】図２
0003186024.tif 000002
【実用新案登録請求の範囲】
【請求項１】
上方に大きく開口し、側部と底部を有する食品保存容器本体と、この食品保存容器本体と概ね同様な外周形状をなす蓋とを有し、前記食品保存容器本体には、内部空間を複数の区画に分割する仕切を有し、前記蓋には前記仕切と嵌合する嵌合構造を有する食品保存容器。
【請求項２】
前記容器本体の外周部には、外方に突出し下方に湾曲した取っ手を有する請求項１の食品保存容器。
【請求項３】
仕切を構成する各仕切片は容器本体と一体に形成され、各仕切片と側部および底部との境界部は曲線状あるいは曲面により形成されている請求項１または２の食品保存容器。
【考案の詳細な説明】
【技術分野】
【０００１】
本考案は、食事の際に食器として機能する食品保存容器に関し、特に仕切を有する皿状ないし椀状の食品保存容器に関するものである。
【背景技術】
【０００２】
食事の際に供される皿ないし食器としては、種々の形態のものが従来より知られているが、通常は外縁部から中央にかけて僅かに窪んだ底浅の円盤状の形態が一般的である。一方、乳幼児用等の食品保存容器としては、流動性を有する離乳食を保持したり、不安定な動作でも内容物がこぼれないよう、比較的深く窪んだ形態を有するものもある。
【０００３】
また、複数の食材を１つの食器に収納させて、効率よく食事を摂ることができるように、１つの食器を仕切により複数の区画に仕切って、それぞれ別個の収納部位を確保できる食器も知られている。特に、学校、病院、軍、社員食堂等のように、多人数が一度に食事を摂るような場所において、食器の数を減らすことができ、洗浄の労力も低減できることから重宝されている。
【０００４】
特開平７−３０３５６０号には、合成樹脂製の容器体１と密嵌着される蓋体５からなり、容器体内は仕切部により仕切形成され、かつ容器体の開口周縁部の全周に突出鍔部８を形成し、蓋体の周縁部にレバー体１１を上下屈曲自在に突設し、レバー体に上記突出鍔部に当接可能な支点部１２を形成してなる食品用保存容器が開示されている。
【０００５】
しかし、この文献の構成では容器を傾けた場合、仕切と蓋との間に空間があるため、液状あるいは流動性のある食材が高い位置の仕切部から低い位置の仕切部へ移動してしまい、食味を損ねる結果になるという弊害を生じていた。
【特許文献１】特開平７−３０３５６０号
【考案の開示】
【考案が解決しようとする課題】
【０００６】
本考案の目的は、上記課題を解決し、複数の食材を１つの食品保存容器内に収納でき、効率的に食事を摂ることができる食品保存容器を提供することである。また、事前に収納した食材や、食べ残した食材を、簡単に密閉あるいは蓋で覆って保存することができる食品保存容器を提供することである。
【課題を解決するための手段】
【０００７】
すなわち、上記目的を達成するために以下の構成とした。
（１）上方に大きく開口し、側部と底部を有する食品保存容器本体と、この食品保存容器本体と概ね同様な外周形状をなす蓋とを有し、前記食品保存容器本体には、内部空間を複数の区画に分割する仕切を有し、前記蓋には前記仕切と嵌合する嵌合構造を有する食品保存容器。
（２）前記容器本体の外周部には、突出して下方に湾曲した取っ手を有する食品保存容器。
（３）仕切を構成する各仕切片は容器本体と一体に形成され、各仕切片と側部および底部との境界部は曲線状あるいは曲面により形成されている上記（１）または（２）の食品保存容器。
【考案の効果】
【０００８】
本考案によれば、複数の食材を１つの食品保存容器内に収納でき、しかも食器としても利用できるので効率的に食事を摂ることができる。また、事前に収納した食材や、食べ残した食材を、蓋で覆うことで簡単に密閉ないし包装して保存することができる。
【考案を実施するための最良の形態】
【０００９】
本考案の食品保存容器は、上方に大きく開口し側部と底部を有し、好ましくは有底の皿状ないし椀状の食品保存容器本体と、この食品保存容器本体と概ね同様な外周形状をなす蓋とを有する。そして、前記食品保存容器本体には、内部空間を数の区画に分割する仕切を有し、前記蓋には前記仕切と嵌合する嵌合部位を有するものである。
【００１０】
食品保存容器本体は、外縁部とこの外縁部より窪んだ底部を有する皿状ないし椀状の容器であり、その外周形状、つまり容器全体の平面投影形状は円形、楕円形、四角形、多角形、星形など種々の形状を選択することができる。それらのなかでも、円形、楕円形、四角形が一般的で使い勝手もよい。その大きさも特に規制されるものではなく、通常の皿や椀、食品用容器に準じた大きさの中から最適な大きさに設定すればよい。
【００１１】
具体的には、乳幼児用や平均的な成人の食事量に対応した大きさであればよく、特に規制されるものではないが、楕円形の食品保存容器の外縁の長径および短径として、好ましくは長径１００〜１７０mm、より好ましくは１１５〜１５５mm程度、短径８０〜１５０mm、より好ましくは９５〜１３５mm程度である。円形に近似される形状では、その直径が前記長径ないし短径に準じた大きさであればよい。他の形状もこれと等しい平面投影面積やこれに準じた大きさにすればよい。
【００１２】
前記外縁部と底部の間の深さも、特に規制されるものではなく、対象とする使用者や、収納する食品の種類などに応じて最適な深さに設定すればよい。具体的には、乳幼児用や平均的な成人の食事量に対応した大きさであればよく、容器内底部と外縁最上部の間の長さで、好ましくは２０〜７０mm、より好ましくは３５〜６５mm程度である。
【００１３】
食品保存容器本体は、外縁部、側部および底部からなり、好ましくは取っ手が設けられている。外縁部は食品保存容器の開口部分の外周ないし上端部を形成すると共に、その外周形状に即した形状をなし、この外縁部より内側の凹んだ位置に底部が形成され、両者の間に側部が形成されている。従って側部の形状は、外縁部と底部との距離や大きさ、形状により決められるが、一般的に円筒状、または円錐の一部に近似される形状をなしている。一方底部は、通常外縁部と近似外形の平坦な領域からなるが、必要に応じて一部、あるいは全体に傾斜や湾曲を持たせても良い。
【００１４】
前記外縁部の一部には外方に突出しかつ下方に湾曲した取っ手を有する。取っ手を設けることで、乳幼児や肢体不自由者などでも食品保存容器を安定して保持することができ、容易に食事を行うことができる。取っ手は、１つでも複数設けても良いが、特に乳幼児向けの食品保存容器では１つが望ましい。
【００１５】
食品保存容器は、上記本体と同様な外周形状をなす蓋を有する。蓋は食品保存容器本体開口部を覆い、食品保存容器内部を密閉、あるいは覆うことで包装する機能を有する。このため、容器本体の外縁部ないしその近傍の構造または形状と嵌合できる構造を有する。また、容器本体の仕切と嵌合可能な部位に嵌合構造を有し、各仕切により形成されたそれぞれの区画領域をそれぞれ密閉ないし覆うことができるようになっている。このように各仕切で下区切られた区画がそれぞれ密閉ないし覆われるので、各区画内に収納された食材同士が混ざりあることが無くなり、各食材の品質を保つことができる。なお、この明細書で密閉とは、ある程度の気密性、液密性を有する程度でよく、若干の液漏れ、ガス交換を許容できる程度の封止状態を形成できればよい。
【実施例１】
【００１６】
次に実施例を示して本考案をより詳細に説明する。図１〜９は、本考案の１実施例を示した図である。ここで、図１は実施例１の蓋付き食品保存容器の平面図、図２は正面図、図３は側面図、図４は食品保存容器本体の平面図、図５は正面図、図６は側面図、図７は蓋の平面図、図８は正面図、図９は側面図である。
【００１７】
図１−９において、本考案の食品保存容器１は、円形ないし楕円形に近似される外周形状をなし、上方に大きく開口した皿状または椀状の食品保存容器本体１０と、その食品保存容器本体１０の開口部１８を覆うように配置される蓋４０とを有する。食品保存容器本体１０の平面外形は主に外縁部１４により形成され、その内側には外縁部に沿って開口した開口部１８が形成されている。
【００１８】
外縁部１４はつば状ないし湾曲した帯状に一定の幅を有しその外縁端からある程度下がった位置まで垂下した折り返し部１５が形成されている。この折り返し部１５は蓋の嵌合部外側内周と略同様な大きさの外周形状をなし、蓋と嵌合する際の嵌合部の外側内周と接し、あるいは近接することで系止、嵌合状態を形成できるようになっている。また、このとき同様に外縁部１４近傍の容器内側部１２ａと蓋の嵌合部内側外周とが接し、あるいは近接した状態になる。
【００１９】
容器本体１０は、図示例では外縁部１４から垂下するように形成されている円筒状の側部１２と、この側部１２からなだらかに内部に向けて湾曲しながら平坦な底部１３が形成されている。底部１３は容器外形と相似に縮小した形状であり、この側部１２の内周面、つまり内側部１２ａと底部１３の内底１３ａにより容器内部が形成されている。また、容器内部には仕切１１が形成され、容器内部を複数の区画に分割形成している。仕切１１は図示例では中央部１１０から３方向に側部１２まで延びた３つの仕切片１１ａ，１１ｂ，１１ｃを有する。各仕切片の上端部１１１は前記外縁部とほぼ同じ高さであり、その基部１１３は内底１３ａと接合している。そして、上端部１１１と基部１１３により形成された仕切壁１１２により食品保存容器内部空間が分割されている。
【００２０】
仕切１１を構成する各仕切片１１ａ，１１ｂ，１１ｃは、この例では容器本体と一体に形成され、しかも各仕切片１１ａ，１１ｂ，１１ｃと側部１２および底部１３との境界部、および仕切片１１ａ，１１ｂ，１１ｃ同士の境界部は、丸みを持つように曲線状あるいは曲面により形成されている。このように境界部を曲線状、曲面により形成することで、内部の食材を食器等で掬い取り易くなり、取り残しを防止できると共に、洗浄作業も容易になる。
【００２１】
容器本体１０の深さは、この例では底部１３から外縁部１４上端迄の高さが、取っ手を除く容器本体最大径の２／３〜１／５程度である。
【００２２】
食品保存容器本体１０は、取っ手２０を有する。図示例の取っ手２０は、食品保存容器外縁部１４の折り返し部１５の一部が外方に延び、かつ湾曲部２２で湾曲しながら下方に垂下した舌状に形成されている。なお、取っ手はこのような形状に限定されるものではなく、カップ等に用いられるような輪形でも良いし、下端が接地するようにして安定性を増したような形状でもよい。また、取っ手２０は、図示例では一つ設けられているが、必要に応じて適宜必要な箇所に、必要な数を設けてもよい。
【００２３】
蓋４０は、容器本体１０と概ね同様な平面ないし外周形状を有し、容器本体の開口部１８を覆って容器本体内部を密閉ないし内容物を包装できるようになっている。蓋４０の外周にはこの外周に沿って上方に丸く突出した外縁嵌合部４２が形成されている。この外縁嵌合部４２は丁度容器本体１０の外縁部１４に対応する位置に形成され、前記外縁部１４と嵌合できるようになっている。このため、外縁嵌合部４２の下部には外縁嵌合部を構成する帯状凸部４２１に外縁嵌合溝４２２が形成され、この外縁嵌合溝４２２内部に前記外縁部が嵌り込むことで、蓋４０と容器本体１０が嵌合するようになっている。
【００２４】
一方、外縁嵌合部４２の内側には容器本体の仕切１１に対応する位置に仕切嵌合部４１が形成されている。仕切嵌合部４１は仕切１１の形状に対応して、中央部４１０から３方向に外縁嵌合部４２まで延びた３つの嵌合部区画４１ａ，４１ｂ，４１ｃを有する。嵌合部４１は蓋上部において外縁嵌合部と同一位置まで山形に膨らむと共に、下部においても一定厚を確保できる厚さ分突出している。そして、仕切嵌合部４１の帯状凸部４１１に嵌合溝４１２が形成されている。この嵌合溝４１２内部に前記仕切１１の上縁１１１が嵌り込むことで、蓋４０と仕切１１も嵌合するようになっている。
【００２５】
これにより、蓋４０を食品保存容器本体１０に装着すると、食品保存容器全体を密閉ないし覆うことができるだけでなく、各仕切１１ａ，１１ｂ，１１ｃで区切られた区画もそれぞれ蓋により密閉ないし覆われる。なお、蓋４０にはその外周の一部に突出したリブ５０を有し、蓋４０を取り外す際にこの部分を持つことで取り外し作業が容易になるようになっている。また、嵌合部４１と外縁嵌合部４２とで囲まれた領域に平らな蓋平坦部４３が形成されていて、この部分が各区画の開口部を覆うことで容器が密閉され包装される。
【００２６】
本発明の食品保存容器は、材料自体の着色、あるいは容器本体や蓋に直接、彩色・描画したり、インモールド成形などで用いられる装飾フィルム貼合、転写等の技術を用いて様々な色彩を付したり、種々の模様を付して意匠的効果を高め、子供などの興味を増し、喜んで使えるようにすることもできる。
【００２７】
本考案の食品保存容器の材料は特に限定されるものではなく、樹脂材料の他、金属、陶器、セラミックス、ガラスなどの公知の材料で形成することができる。これらのなかでも、特に乳幼児、小児などを対象とする場合には安全性が高く、量産によるコストダウン効果も大きい樹脂材料が望ましい。樹脂材料としては、通常この種の食品保存容器に用いられている材料であればよく、具体的にはポリプロピレン（PP）、ポリエチレン（PE）、ポリエチレンテレフタレート（PET）、アクリロニトリル(Acrylonitrile)-ブタジエン(Butadiene)-スチレン (Styrene)共重合体（ABS樹脂）等が挙げられ、特に量産性と安全性の面からポリプロピレン（PP）が好ましい。また、これらの材料に加えて部分的、例えば底部や取っ手にシリコーン樹脂、天然間または合成エラストマーを用いて滑り止めや、操作感、口当たりの改善などの効果を持たせてもよい。さらに本体部分はガラスやセラミックス、あるいは金属材料で形成することもできる。
【産業上の利用可能性】
【００２８】
本考案の食品保存容器は、発達段階の乳幼児、小児の食品の保存、食事に適している。特に乳幼児への離乳食の付与に好適であり、離乳食その他の食材を事前に準備して保存したり、食べ残した食材を簡単に保存し、また必要なときに取り出して食することができる。同様に、一般成人のみならず食品保存容器の取り扱いが困難な障害者や老人などにも好適に用いることができる。
【図面の簡単な説明】
【００２９】
【図１】本考案の１実施例の蓋付き食品保存容器を示した平面図である。
【図２】本考案の１実施例の蓋付き食品保存容器を示した正面図である。
【図３】本考案の１実施例の蓋付き食品保存容器を示した側面図である。
【図４】本考案の１実施例の食品保存容器本体を示した平面図である。
【図５】本考案の１実施例の食品保存容器本体を示した正面図である。
【図６】本考案の１実施例の食品保存容器本体を示した側面図である。
【図７】本考案の１実施例の蓋を示した平面図である。
【図８】本考案の１実施例の蓋を示した正面図である。
【図９】本考案の１実施例の蓋を示した側面図である。
【符号の説明】
【００３０】
１０    食品保存容器本体
１１    仕切
１２    側部
１３    底部
１４    外縁部
２０    取っ手
４０    蓋
４１    嵌合部
４２    外縁嵌合部
【図１】
0003186024.tif 000003
【図２】
0003186024.tif 000004
【図３】
0003186024.tif 000005
【図４】
0003186024.tif 000006
【図５】
0003186024.tif 000007
【図６】
0003186024.tif 000008
【図７】
0003186024.tif 000009
【図８】
0003186024.tif 000010
【図９】
0003186024.tif 000011